(57)【特許請求の範囲】
【請求項１】
路面又は床面に付着した付着物の除去作業を、立ったままで行うことを可能にする付着物除去用具であって、
一端部にヘラ板を備える、１００〜１５０ｃｍの長さの直線状の棒状部材からなる主ロッドと、該主ロッドの一端部に、支持部を介して前記ヘラ板に近接して取り付けられた、補助液が収容される容器本体とポンプ付きキャップとからなるポンプ付き容器と、該ポンプ付き容器のポンプヘッドに連結して該ポンプヘッドから吐出される前記補助液を、除去作業時における前記ヘラ板の上面側に供給する供給パイプと、前記主ロッドに沿って前記主ロッドに対してスライド可能に併設され、前記主ロッドの他端部側からの進退操作によって前記ポンプヘッドを上方から押圧して前記補助液を吐出させる、９０〜１４０ｃｍの長さの直線状の棒状部材からなる押圧ロッドとからなる付着物除去用具。
【請求項２】
前記路面又は床面に付着した付着物がガムである請求項１記載の付着物除去用具。
【発明の詳細な説明】
【技術分野】
【０００１】
本発明は、付着物除去用具に関し、特に、路面又は床面に付着したガム等の付着物の除去作業を、補助液を使用しつつ立ったままで行うことを可能にする付着物除去用具に関する。
【背景技術】
【０００２】
例えば道路の路面や、建物の床面等には、ガムやその他の付着物が付着している場合があり、路面や床面の美観を損ねている。このようなことから、これらの付着物を除去する作業が頻繁に行われている。付着物は、路面や床面に強固にこびり着いていることもあるので、剥離液や洗浄液等を補助液として用いて、除去作業をスムーズに行えるようにする工夫もなされている。
【０００３】
また、ガム等の付着物を路面や床面から除去する作業は、例えば作業者がひざまずいて屈みこんだ状態で、ヘラ板を用いて付着物を剥し取る方法によって行うのが一般的である（例えば、特許文献１参照）。
【特許文献１】特開２００７−１２６７６５号公報
【発明の開示】
【発明が解決しようとする課題】
【０００４】
しかしながら、作業者がひざまずいて屈みこみながら行う除去作業は、作業時の姿勢が窮屈であるため、特に作業が長時間になると、作業者への負担が大きくなり、作業効率も劣ることになる。
【０００５】
本発明は、このような従来の技術的課題に着目してなされたものであり、作業者が窮屈な姿勢をとることなく、立ったままの状態で、補助液を使用しながら路面又は床面に付着した付着物の除去作業をスムーズに行うことを可能にする付着物除去用具を提供することを目的とする。
【課題を解決するための手段】
【０００６】
本発明は、路面又は床面に付着した付着物の除去作業を、立ったままで行うことを可能にする付着物除去用具であって、一端部にヘラ板を備える、１００〜１５０ｃｍの長さの直線状の棒状部材からなる主ロッドと、該主ロッドの一端部に、支持部を介して前記ヘラ板に近接して取り付けられた、補助液が収容される容器本体とポンプ付きキャップとからなるポンプ付き容器と、該ポンプ付き容器のポンプヘッドに連結して該ポンプヘッドから吐出される前記補助液を、除去作業時における前記ヘラ板の上面側に供給する供給パイプと、前記主ロッドに沿って前記主ロッドに対してスライド可能に併設され、前記主ロッドの他端部側からの進退操作によって前記ポンプヘッドを上方から押圧して前記補助液を吐出させる、９０〜１４０ｃｍの長さの直線状の棒状部材からなる押圧ロッドとからなる付着物除去用具を提供することにより、上記目的を達成したものである。
【０００７】
そして、本発明の付着物除去用具によれば、前記ポンプ付き容器は、前記ヘラ板と近接する前記主ロッドの一端部における、前記ヘラ板の上面側とは反対側に取り付けられていることが好ましい。
【０００８】
また、本発明の付着物除去用具によれば、前記押圧ロッドは、前記主ロッドに沿って設けられたガイド部に挿通されて前記主ロッドに対してスライド可能に併設されており、前記ガイド部は、前記主ロッドの外周面から突出して取り付けられた複数のガイドリングによって形成することができる。
【０００９】
さらに、本発明の付着物除去用具によれば、前記ガイド部は、前記主ロッドに沿って取り付けられたガイドパイプによって形成することもできる。
【発明の効果】
【００１０】
本発明の付着物除去用具によれば、作業者が窮屈な姿勢をとることなく、立ったままの状態で、補助液を使用しながら路面又は床面に付着した付着物の除去作業をスムーズに行うことができる。
【発明を実施するための最良の形態】
【００１１】
図１に示す本発明の好ましい一実施形態に係る付着物除去用具１０は、作業者が立ったままの状態で除去作業を行うのに適した長さを有する主ロッド１１の一端部に設けられたヘラ板１２を用いて、且つ補助液１３を供給する操作を立ったままの状態で行いながら、窮屈な姿勢をとることなく、路面又は床面１４に付着したガム等の付着物１５を、効率良くスムーズに除去して行くことができるようにするために採用されたものである（図２（ａ），（ｂ）参照）。
【００１２】
すなわち、本実施形態の付着物除去用具１０は、図１及び図２（ａ），（ｂ）に示すように、路面又は床面１４に付着したガム等の付着物１５の除去作業を、立ったままで行うことを可能にする除去用具であって、一端部にヘラ板１２を備える主ロッド１１と、ヘラ板１２に近接して主ロッド１１の一端部に支持部１６を介して取り付けられた、補助液１３が収容されるポンプ付き容器１７と、ポンプ付き容器１７のポンプヘッド１８に連結してポンプヘッド１８から吐出される補助液１３を、除去作業時におけるヘラ板１２の上面側に供給する供給パイプ１９と、主ロッド１１に沿って当該主ロッド１１に対してスライド可能に併設され、主ロッド１１の他端部側からの進退操作によってポンプヘッド１８を押圧して補助液１３を吐出させる押圧ロッド２１とによって構成されている。
【００１３】
また、本実施形態の付着物除去用具１０では、ポンプ付き容器１７は、ヘラ板１２と近接する主ロッド１１の一端部における、ヘラ板１２の上面１２ａ側とは反対側に取り付けられている。
【００１４】
さらに、本実施形態の付着物除去用具１０では、押圧ロッド２１は、主ロッド１１に沿って設けられたガイド部２０に挿通されて主ロッド１１に対してスライド可能に併設されており、ガイド部２０は、主ロッド１１の外周面から突出して取り付けられた複数のガイドリング２２によって構成されている。
【００１５】
本実施形態では、主ロッド１１は、例えばアルミニウム等の金属製、合成樹脂製等の中空パイプ部材からなる。主ロッド１１は、ヘラ板１２の先端縁部１２ｂを路面又は床面１４に押し付けながらスライド移動させる際の曲げ荷重に十分に耐え得る曲げ剛性を備えると共に、作業者が立ったままの状態で除去作業を行うのに適した長さとして、好ましくは例えば１００〜１５０ｃｍ程度の長さを有している。また主ロッド１１には、その一端部にヘラ板１２が装着固定されていると共に、その他端部に握りスリーブ２３が装着固定されている。
【００１６】
ヘラ板１２は、例えばヘラ状に加工形成された金属製のプレート部材からなる。ヘラ板１２は、例えば幅が狭くなった基端部分１２ｃを、主ロッド１１の端面１１ａから切り込み形成された装着スリット２４に挿入すると共に、接着剤や固定金具等を介して固定することにより、ヘラ板１２の一端部に一体として強固に固定される。またヘラ板１２の幅の広い先端縁部１２ｂは、直線状に形成されると共に、裏面側が面取り部１２ｄにより面取りされて鋭角に形成されていることにより、路面又は床面１４に付着したガム等の付着物１５を剥し取りやすくなっている。
【００１７】
ポンプ付き容器１７は、容器本体２５と、容器本体２５の口首部に着脱可能に装着固定されたポンプ付きキャップ２６とからなる公知の各種のポンプ付き容器を用いることができる。ポンプ付き容器１７は、容器本体２５の内部に剥離液や洗浄液等からなる補助液１３を収容すると共に、ポンプ付きキャップ２６に取り付けられたポンプ装置の内部のバネ部材等の付勢力に抗して、ポンプヘッド１８を上方から押圧することにより、補助液１３を容器本体２５から汲み上げて、ポンプヘッド１８の吐出ノズルから吐出させることができるようになっている。また、ポンプヘッド１８の押圧を解除することにより、ポンプ装置の内部のバネ部材等の付勢力によってポンプヘッド１８は基の位置に復帰すると共に、補助液１３の吐出が停止されるようになっている。
【００１８】
ポンプ付き容器１７を主ロッド１１に取り付けるための支持部１６は、例えばＬ字断面形状を有するように加工形成された金属製のプレート部材からなる。支持部１６は、Ｌ字断面形状の一方の辺部１６ａの背面を主ロッド１１に密着させて、例えば固定金具等を介して主ロッド１１に固定されることにより、他方の辺部１６ｂを支持台として主ロッド１１から外側に略垂直に突出させた状態で、主ロッド１１に一体として取り付けられる。支持部１６には、ポンプ付き容器１７が、容器本体２５の側面を一方の辺部１６ａの内側面に、容器本体２５の底面を他方の辺部１６ｂの内側面に密着させた状態で、例えば接着テープや、固定ベルト等を介して固定することにより、ポンプヘッド１８をガイド部２０の延長上に配置した状態で、着脱可能に取り付けられる。
【００１９】
また、本実施形態では、支持部１６は、主ロッド１１の一端部におけるヘラ板１２の上面１２ａ側とは反対側に取り付けられており、これによってポンプ付き容器１７もまた、ヘラ板１２の上面１２ａ側とは反対側に取り付けられることになる。ポンプ付き容器１７がヘラ板１２の上面１２ａ側とは反対側に取り付けられることにより、補助液１３を収容したポンプ付き容器１７の重心がヘラ板１２の下面側に位置することになって、より安定した状態で、ガム等の付着物１５を剥し取る操作を行うことが可能になる。
【００２０】
補助液１３をヘラ板１２の上面側に供給する供給パイプ１９は、例えば合成樹脂製の可撓性チューブからなる。供給パイプ１９は、一端がポンプヘッド１８の吐出ノズルに連結されると共に、主ロッド１１の外周面やヘラ板１２の上面１２ａに取り付けた複数の位置決めスリーブ２７に挿通されて案内され、他端がヘラ板１２の上面１２ａの先端縁部１２ｂ側に開口する。これによって、ポンプヘッド１８の吐出ノズルから吐出する補助液１３を、ヘラ板１２の先端縁部１２ｂにスムーズに送り込むことができるようになっている。
【００２１】
ポンプ付き容器１７のポンプヘッド１８を押圧する押圧ロッド２１は、例えば合成樹脂製や金属製等の直線状の棒状部材からなり、主ロッド１１と同じかやや短い、例えば９０〜１４０ｃｍ程度の長さを備えている。押圧ロッド２１は、ガイド部２０に挿通されて案内されることにより、その下端をポンプ付き容器１７のポンプヘッド１８に当接させて押圧することができるようになっている。また押圧ロッド２１の上端部は、主ロッド１１の上部に配置されることにより、主ロッド１１によるヘラ板１２を介した剥し取り操作と同様に、立ったままの状態でポンプヘッド１８を押圧する操作を行うことができるようになっている。
【００２２】
押圧ロッド２１が挿通されるガイド部２０を構成する複数のガイドリング２２は、例えば合成樹脂製や金属製等の直線状のリング状部材からなり、支持部２２ａを介して溶着やネジ等によって主ロッド１１に接合されることにより、主ロッド１１の外周面から外側に突出して一体として取り付けられる。ガイドリング２２は、押圧ロッド２１の外径よりも僅かに大きな内径を備えており、またその中心軸を主ロッド１１の中心軸と平行に配置した状態で、直線状に連設して取り付けられる。これによって、ガイドリング２２に挿通される押圧ロッド２１は、その下端がポンプ付き容器１７のポンプヘッド１８の上面に当接するように案内されると共に、ガイドリング２２に沿って摺動しつつ、上端部からの操作によって進退することができるようになっている。
【００２３】
また、本実施形態では、主ロッド１１の中間部分に、付着物投入容器２８が取り付けられている（図１参照）。付着物投入容器２８が取り付けられていることにより、除去したガム等の付着物１５をスムーズに回収することが可能になると共に、除去した付着物１５の量を把握することにより、除去作業の成果を確認することが可能になり、作業者の除去作業に対するやる気を効果的に喚起することが可能になる。
【００２４】
そして、上述の構成を備える本実施形態の付着物除去用具１０によれば、主ロッド１１の上部を把持しつつ、立ったままの状態で、ヘラ板１２によるガム等の付着物１５の剥し取り操作を容易に行うことが可能になると共に、押圧ロッド２１の上端部を把持した操作によって、立ったままの状態で、ポンプヘッド１８を押圧して補助液１３をポンプ付き容器１７からヘラ板１２の先端縁部１２ｂにスムーズに供給することが可能になる。したがって、本実施形態の付着物除去用具１０によれば、作業者が窮屈な姿勢をとることなく、立ったままの状態で、補助液１３を使用しながら路面又は床面１４に付着したガム等の付着物１５の除去作業をスムーズに行うことが可能になる。
【００２５】
なお、本発明は上記実施形態に限定されることなく種々の変更が可能である。例えば、ガイド部は、主ロッドの外周面から突出して取り付けられた複数のガイドリングによって形成する必要は必ずしもなく、例えば図３に示すように、主ロッド１１に沿って取り付けられたガイドパイプ２９によって形成することもできる。ガイドパイプをスリーブ状に分割したものを用いて、軸方向に所定の間隔をおいて分断した状態で取り付けても良い。
【図面の簡単な説明】
【００２６】
【図１】本発明の好ましい一実施形態に係る付着物除去用具を示す斜視図である。
【図２】（ａ），（ｂ）は、本発明の好ましい一実施形態に係る付着物除去用具を用いて付着物を除去する作業を説明する要部側面図である。
【図３】本発明の好ましい他の実施形態に係る付着物除去用具を示す斜視図である。
【符号の説明】
【００２７】
１０  付着物除去用具
１１  主ロッド
１２  ヘラ板
１２ａ  ヘラ板の上面
１２ｂ  ヘラ板の先端縁部
１３  補助液
１４  路面又は床面
１５  付着物
１６  支持部
１７  ポンプ付き容器
１８  ポンプヘッド
１９  供給パイプ
２０  ガイド部
２１  押圧ロッド
２２  ガイドリング
２３  握りスリーブ
２４  装着スリット
２５  ポンプ付き容器の容器本体
２６  ポンプ付き容器のポンプ付きキャップ
２７  位置決めスリーブ
２８  付着物投入容器
２９  ガイドパイプ
【図１】
0004850152.tif 000002
【図２】
0004850152.tif 000003
【図３】
0004850152.tif 000004